(57)【要約】      （修正有）【課題】新たな構成によりシリンダーロールの支管の支持、固定の作業を容易に行うことのできる、利便性の高いシリンダロール用コンテナを提供する。【解決手段】シリンダーロールの支管をロール受け部３００の支管嵌入空間３５０に入れたら、ロールストッパー３６０の第１のストッパーピン３６３がロール受け台座３１０の基台部３２０の第１のストッパーピン差し込み穴３２３に挿入され、ロールストッパー３６０の第２のストッパーピン３６４がロール受け台座３１０のＬ字形ストッパー３４０の第２のストッパーピン差し込み穴３４４に挿入されるように、ロールストッパー３６０をロール受け台座３１０に対して落とし込み、ロールストッパー３６０をロール受け台座３１０に装着する。これによりシリンダーロールの支管はロール受け部３００に保持される。【選択図】 図２
0003191310.tif 000002
【実用新案登録請求の範囲】
【請求項１】
パレットと、
前記パレットの周縁に沿って立設され、前記パレット上に内部収容空間を形成する側板と、
前記内部収容空間の上部開口を閉塞する上蓋と
前記パレット上に対向設置され、各々、収容対象のシリンダロールの支管の端部を保持する一対のロール受け部とを有し、
前記ロール受け部の各々は、
前記支管が嵌入される支管嵌入空間であって、前記支管の径方向の上下方向及び横方向の一方が閉塞され、当該横方向の他方のみが開放された前記支管嵌入空間を有するロール受け台座と、
前記支管嵌入空間の前記開放された横方向の他方を閉塞するように前記ロール受け台座に着脱自在に装着されるロールストッパーとを有し、
前記ロールストッパーは、複数のストッパーピンをさらに有し、
前記ロール受け台座は、前記ロールストッパーの前記複数のストッパーピンが挿入される複数のストッパーピン差し込み穴をさらに有し、
前記ロールストッパーは、前記複数のストッパーピンが対応する前記ストッパーピン差し込み穴に挿入されることにより、前記ロール受け台座に装着される
ことを特徴とするシリンダロール用コンテナ。
【請求項２】
前記ロール受け台座は、
前記支管が載置されるとともに前記支管嵌入空間の下方向を閉塞する上面を有する基台部と、
前記基台部の前記上面に略垂直に立設され前記支管嵌入空間の横方向の一方を閉塞する垂直部材、及び、前記垂直部材に連結され前記支管嵌入空間の上方向を閉塞する水平部材を有するＬ字形ストッパーと
を有することを特徴とする請求項１に記載のシリンダー用コンテナ。
【請求項３】
前記ロール受け台座は、前記基台部の前記上面に形成された第１のストッパーピン差し込み穴と、前記Ｌ字形ストッパーの水平部材に形成された第２のストッパーピン差し込み穴とを有し、
前記ロールストッパーは、前記第１のストッパーピン差し込み穴に差し込まれる第１のストッパーピンと、前記第２のストッパーピン差し込み穴に差し込まれる第２のストッパーピンとを有することを特徴とする請求項２に記載のシリンダー用コンテナ。
【考案の詳細な説明】
【技術分野】
【０００１】
本考案は、シリンダロールを簡易に収容して搬送等することのできるシリンダロール用コンテナに関する。
【背景技術】
【０００２】
シリンダロールあるいはシリンダロールを収容して搬送等をするためのコンテナとしては、例えば、特許文献１に記載されているようなコンテナが知られている。特許文献１に記載のコンテナでは、シリンダロールは、支管の両端部を受け台（３０）により支持され、その上部を押さえ部材（４０）により押えられ、これによりパレット４の上に固定配置され、搬送等に供されている。
【先行技術文献】
【特許文献】
【０００３】
【特許文献１】特開２００８−２９７０１７号公報
【考案の概要】
【考案が解決しようとする課題】
【０００４】
上述した引用文献１にも記載されているように、従来のシリンダー用コンテナにおいてシリンダーロールの支管を支持固定する構成は、Ｕ字型あるいはＶ字型の受け部にシリンダーロールの支管を載置し、上から支管押え等にてシリンダーロールの支管を抑え込んで固定するのが一般的である。
しかしながら、収容するシリンダーロールの種類、形態の多様化や、シリンダーロールをシリンダー用コンテナに収容したり取り出したりする際の機構等の多様性等もあって、
簡易な構成で、簡易な作業によりシリンダーロールの支管を支持固定することができるシリンダー用コンテナであって、形態の異なる構成のシリンダー用コンテナも要望されている。
【０００５】
本考案は前述したような課題に鑑みてなされたものであって、その目的は、シリンダロールを収容し、保管、搬送等を行うことができるシリンダロール用コンテナであって、従来とは異なる支管を支持固定する構成によりシリンダーロールの支管の支持、固定の作業を容易に行うことのできる、利便性の高いシリンダロール用コンテナを提供することにある。
【課題を解決するための手段】
【０００６】
前記課題を解決するために、本考案のシリンダー用コンテナは、パレットと、前記パレットの周縁に沿って立設され、前記パレット上に内部収容空間を形成する側板と、前記内部収容空間の上部開口を閉塞する上蓋と、前記パレット上に対向設置され、各々、収容対象のシリンダロールの支管の端部を保持する一対のロール受け部とを有し、前記ロール受け部の各々は、前記支管が嵌入される支管嵌入空間であって、前記支管の径方向の上下方向及び横方向の一方が閉塞され、当該横方向の他方のみが開放された前記支管嵌入空間を有するロール受け台座と、前記支管嵌入空間の前記開放された横方向の他方を閉塞するように前記ロール受け台座に着脱自在に装着されるロールストッパーとを有し、前記ロールストッパーは、複数のストッパーピンをさらに有し、前記ロール受け台座は、前記ロールストッパーの前記複数のストッパーピンが挿入される複数のストッパーピン差し込み穴をさらに有し、前記ロールストッパーは、前記複数のストッパーピンが対応する前記ストッパーピン差し込み穴に挿入されることにより、前記ロール受け台座に装着されることを特徴とするものである。
【０００７】
好適には、本考案のシリンダロール用コンテナは、前記ロール受け台座は、前記支管が載置されるとともに前記支管嵌入空間の下方向を閉塞する上面を有する基台部と、前記基台部の前記上面に略垂直に立設され前記支管嵌入空間の横方向の一方を閉塞する垂直部材、及び、前記垂直部材に連結され前記支管嵌入空間の上方向を閉塞する水平部材を有するＬ字形ストッパーとを有することを特徴とする。
【０００８】
また好適には、本考案のシリンダー用コンテナは、前記ロール受け台座は、前記基台部の前記上面に形成された第１のストッパーピン差し込み穴と、前記Ｌ字形ストッパーの水平部材に形成された第２のストッパーピン差し込み穴とを有し、前記ロールストッパーは、前記第１のストッパーピン差し込み穴に差し込まれる第１のストッパーピンと、前記第２のストッパーピン差し込み穴に差し込まれる第２のストッパーピンとを有することを特徴とする。
【考案の効果】
【０００９】
本考案によれば、シリンダロールを収容し、保管、搬送等を行うことができるシリンダロール用コンテナであって、従来とは異なる支管を支持固定する構成によりシリンダーロールの支管の支持、固定の作業を容易に行うことのできる、利便性の高いシリンダロール用コンテナを提供することができる。
【図面の簡単な説明】
【００１０】
【図１】図１は、本考案の第１実施形態のシリンダロール用コンテナの構成を示す分解斜視図である。
【図２】図２は、図１に示したシリンダー用コンテナのロール受け部の構成を示す斜視図である。
【図３】図３は、図３に示したロール受け部にシリンダロールの一方の支管が保持された状態を模式的に示す図であって、図１のＶ方向からシリンダロール用コンテナの内側を見た状態を示す図である。
【図４】図４は、図１に示したシリンダー用コンテナにシリンダーロールを収容した状態を模式的に示す図であって、図４（Ａ）は平面図であり、図４（Ｂ）は側面図である。
【考案を実施するための形態】
【００１１】
本考案のシリンダロール用コンテナの一実施形態について図１〜図４を参照して説明する。
図１は、本考案の一実施形態に係るシリンダロール用コンテナ１の構成を示す分解斜視図である。図１に示すように、シリンダロール用コンテナ１は、主要な構成部として、パレット１００、コーナーパイプ２００、ロール受け部３００、側板４００及び上蓋５００を有する。
【００１２】
パレット１００は、シリンダロール用コンテナ１の搬送台となる扁平な直方体形状の部材であり、上面に収容対象のシリンダロールを収容する内部収容空間が形成される基台である。パレット１００の側面にはリフト用孔１０１が形成されており、これにフォークリフトの爪部が差し込まれることによりシリンダロール用コンテナ１はフォークリフトに支持されて持ち上げられ移動され、車両、船舶、航空機等の輸送手段に対する積み込みや積み下ろし、あるいは倉庫等の保管手段に対する搬入や搬出等が行われる。本実施形態においてパレット１００は、ステンレスやアルミニウム等の金属の角材が溶接されて形成されたものであるが、樹脂等が成形されて形成されたいわゆる樹脂パレットであってもよい。
【００１３】
パレット１００の下面四隅の角部は、上蓋５００の上面四隅に形成されているズレ防止金具５１０と係合する係合部１０２をなす。後述するように、パレット１００の係合部１０２が、下段に配置されるシリンダロール用コンテナ１の上蓋５００のズレ防止金具５１０上に載置されることにより、シリンダロール用コンテナ１は相互に横ずれが防止されて順次段積みされる。
【００１４】
パレット１００の長手方向の側面の両端部近くには、上辺部から下方向にリフト用孔１０１内に突出したベルト掛け１０３が形成されている。このベルト掛け１０３にベルトが掛けられることにより、シリンダロール用コンテナ１の内部収容空間を囲み閉塞するように設置された側板４００及び上蓋５００は、開梱不能に強固にパレット１００と一体化される。また、ベルト掛け１０３は、クレーン等によりシリンダー用コンテナ１の全体を持ち上げて移動等される場合に、そのクレーン等のロープやベルトが引っ掛けられるのにも用いられる。
【００１５】
パレット１００の上面の長手方向の両側端部には、各々、後述するロール受け部３００をパレット１００の上面に固定設置するための図示せぬボルト穴の組が複数形成されている。そのボルト穴の組は、パレット１００の長手方向の両側端部の各々において、ロール受け部３００の長手方向位置を適宜変更できるように、パレット１００の長手方向の異なる位置に複数形成される。
【００１６】
コーナーパイプ２００は、パレット１００上面の四隅に固定立設された支柱である。
各コーナーパイプ２００には、パレット１００の周縁方向を指向する２側面に、各々、断面Ｕ字状の側板設置溝２１０が設置されている。その結果、パレット１００の周縁に沿って隣接する２本のコーナーパイプ２００には、その対向面に各々側板設置溝２１０が形成されることとなる。すなわち、パレット１００の周縁に沿っては、当該周縁を見込むように一対の側板設置溝２１０が対向配置されることとなる。
【００１７】
この対向する一対の側板設置溝２１０に側板４００（第１の側板４１０及び第２の側板４２０）の両側縁をスライド挿入することにより、側板４００は、コーナーパイプ２００の間でパレット１００の上面の周縁に沿った位置に立設される。そして、４本のコーナーパイプ２００の間に各々側板４００が挿入設置されることにより、パレット１００の上面の４周縁に沿って４枚の側板４００（２枚の第１の側板４１０及び２枚の第２の側板４２０）が立設され、パレット１００上に周囲が閉塞されたシリンダロールの収容空間が形成される。
【００１８】
なお、コーナーパイプ２００の高さは、上記収容空間にシリンダロールを収容可能な高さがあればよく、収容対象のシリンダロールの直径に応じて決定される。
【００１９】
ロール受け部３００は、パレット１００上面の長手方向両端部に対向して設置される一対の部材であり、収容対象のシリンダロールの支管を両端で支持固定する部材である。
ロール受け部３００の構成について、さらに図２〜図４を参照して説明する。図２は、一方の（１つの）ロール受け部３００の斜視図であり、図３は、シリンダロールの一方の端部においてロール受け部３００にシリンダロールの支管が保持された状態を模式的に示す図であって、シリンダロール用コンテナ１の内側ロール受け部３００部分を図１のＶ方向から見た状態を示す図である。また、図４は、図１に示したシリンダー用コンテナにシリンダーロールを収容した状態を模式的に示す図であって、図４（Ａ）は平面図であり、図４（Ｂ）は側面図である。
【００２０】
なお、１対のロール受け部３００は、同じ構成のロール受け部３００をパレット１００の長手方向において左右対称に配置したものである。
【００２１】
各ロール受け部３００は、図２に示すように、ロール受け台座３１０及びロールストッパー３６０を有する。ロール受け台座３１０は、パレット１００の上面に固定設置され、シリンダロールの支管を支持するとともに、シリンダロールの径方向において、その支管の上下位置及び横方向位置の一方を規定する。ロールストッパー３６０は、ロール受け台座３１０に対して着脱自在に設置され、ロール受け台座３１０に支持されたシリンダーロールの径方向の横方向位置の他方を規定する。
【００２２】
ロール受け台座３１０は、基台部３２０、パレット固定用金具３３０、及びＬ字形ストッパー３４０を有する。これらロール受け台座３１０の各部材は、いずれもスチール製である。
【００２３】
基台部３２０は、直方体形状の部材であり、上面３２１にシリンダーロールの支管端部が載置される直方体形状の部材である。
基台部３２０の一の側面であって、パレット１００上に設置された際にパレット１００の短手方向の周縁側を指向する面（短手方向と平行な面）３２２には、２箇所のボルト貫通孔３３１が形成されたパレット固定用金具３３０が溶接により設置されている。前述したように、パレット１００の上面の長手方向の端部付近にはボルト穴の組が複数形成されている。このいずれかのボルト穴の組にパレット固定用金具３３０の２箇所のボルト貫通孔３３１を合わせ、ボルト３３２（図３参照）を貫通させてこれらを結合することにより、ロール受け部３００はパレット１００の上面の所定の位置に固定設置される。
【００２４】
基台部３２０の上面３２１には、垂直部材３４１及び水平部材３４２がＬ字状に連結されて形成されたＬ字形ストッパー３４０が溶接により設置されている。Ｌ字形ストッパー３４０は、垂直部材３４１の一方の端部（下側端部）が基台部３２０の上面３２１に溶接により連結されており、これにより垂直部材３４１は、基台部３２０の上面３２１に略垂直に立設されている。垂直部材３４１の他方の端部（上側端部）は、水平部材３４２の一方の端部に連結されており、これにより水平部材３４２は、基台部３２０の上面３２１と略平行になるように設置されている。
【００２５】
Ｌ字形ストッパー３４０をこのような形態で基台部３２０の上面３２１に設置することにより、基台部３２０の上面３２１には、下側を基台部３２０の上面３２１で規定され、上側をＬ字形ストッパー３４０の水平部材３４２の下方側の面３４６で規定され、横方向の一方（一方の側面）をＬ字形ストッパー３４０の垂直部材３４１の一方の面３４５で規定されたシリンダーロールの支管嵌入空間３５０が形成される。
【００２６】
また、ロール受け台座３１０には、基台部３２０の上面３２１、及び、Ｌ字形ストッパー３４０の水平部材３４２の他方の端部（垂直部材３４１と連結されていない方の端部）付近に、後述するロールストッパー３６０のストッパーピン（第１及び第２のストッパーピン）３６３，３６４が差し込まれるストッパーピン差し込み穴（第１及び第２のストッパーピン差し込み穴）３２３，３４４が形成されている。
【００２７】
ロール受け台座３１０の第１のストッパーピン差し込み穴３２３は、ロール受け台座３１０に形成規定される支管嵌入空間３５０の、Ｌ字形ストッパー３４０により閉塞されていない横方向の他方の側（他方の側面）に相当する位置に形成される。第１のストッパーピン差し込み穴３２３には、後述するロールストッパー３６０の垂直部材３６１に設置された第１のストッパーピン３６３が差し込まれる。
【００２８】
また、Ｌ字形ストッパー３４０の水平部材３４２の第２のストッパーピン差し込み穴３４４には、ロールストッパー３６０の水平部材３６２に設置された第２のストッパーピン３６４が差し込まれる。
【００２９】
ロール受け台座３１０の基台部３２０の第１のストッパーピン差し込み穴３２３及びＬ字形ストッパー３４０の第２のストッパーピン差し込み穴３４４にロールストッパー３６０の第１のストッパーピン３６３及び第２のストッパーピン３６４がこのように差し込まれることにより、ロールストッパー３６０はロール受け台座３１０に対して装着されることとなる。またこれにより、図３に示すように、支管嵌入空間３５０は、横方向（パレット１００の短手方向、シリンダーロール７００の支管を収容した場合のその径方向）の全周が囲まれた状態となり、シリンダーロール７００の支管７１０をこれに嵌入した場合には、その径方向位置が移動不能に固定された状態とされる。
【００３０】
ロールストッパー３６０は、上述したように、ロール受け台座３１０に装着されることにより、支管嵌入空間３５０に嵌入されたシリンダーロール７００の支管７１０を径方向に移動不能に保持する部材である。
【００３１】
ロールストッパー３６０は、図２に示すように、垂直部材３６１及び水平部材３６２と、垂直部材３６１に設置された第１のストッパーピン３６３、及び、水平部材３６２を貫通するように水平部材３６２に設置された第２のストッパーピン３６４を有する。垂直部材３６１と水平部材３６２とは、各々の一方の端部同志が略垂直に連結されており、第１のストッパーピン３６３は垂直部材３６１の他方の端部からさらに下方向に突出するように設置されており、また、第２のストッパーピン３６４は、水平部材３６２の他方の端部近傍において水平部材３６２を貫通して下方向に突出し延伸するように設置されている。
【００３２】
このような構成のロールストッパー３６０は、第１のストッパーピン３６３を基台部３２０の第１のストッパーピン差し込み穴３２３に挿入し、第２のストッパーピン３６４をＬ字形ストッパー３４０の第２のストッパーピン差し込み穴３４４に挿入し、ロールストッパー３６０の水平部材３６２がＬ字形ストッパー３４０の水平部材３４２の上面と接触する位置まで上方より下方に落とし込むことにより、ロール受け台座３１０に対して装着される。
【００３３】
換言すれば、ロールストッパー３６０の第１のストッパーピン３６３及び第２のストッパーピン３６４と、基台部３２０の第１のストッパーピン差し込み穴３２３、及び、Ｌ字形ストッパー３４０の第２のストッパーピン差し込み穴３４４とは、このような形態で各々挿入可能な位置関係及び寸法に形成される。
【００３４】
そしてこの状態において、ロール受け台座３１０の支管嵌入空間３５０は、前述したように、横方向（パレット１００の短手方向、シリンダーロール７００の支管７１０を収容した場合のその径方向）の全周が囲まれた状態となり、シリンダーロール７００の支管７１０をこれに配置した場合にはその径方向位置が移動不能に固定された状態とされる。
【００３５】
シリンダー用コンテナ１においては、このような構成のロール受け部３００が１対にされて、パレット１００の長手方向の両端部に対向設置される。そしてこの構成により、図４（Ａ）及び図４（Ｂ）に示すように、収容対象のシリンダーロール７００の両側に突出支管７１０の端部が各々ロール受け部３００により支持される。その結果、シリンダーロール７００は、軸方向両側に配置されたロール受け部３００によりその軸方向の移動が規制され、各ロール受け部３００によりその径方向の移動が規制され、シリンダー用コンテナ１に移動不能に収容される。
【００３６】
なお、支管嵌入空間３５０を形成する部材の支管嵌入空間３５０側の面、すなわち、ロール受け台座３１０の基台部３２０の上面３２１と、Ｌ字形ストッパー３４０の垂直部材３４１の一方の面３４５、Ｌ字形ストッパー３４０の水平部材３４２の下方側の面３４６及びロールストッパー３６０の垂直部材３６１の一方の端部（辺あるいは面）３６５には、図示しない緩衝材が貼着されている。これにより支管嵌入空間３５０に設置されたシリンダーロール７００の支管７１０に対する搬送時の衝撃等が緩和されることとなり、シリンダーロール７００を安全に搬送等することが可能となる。
【００３７】
側板４００は、パレット１００の上部周縁に沿って立設され、シリンダロール用コンテナ１の内部収容空間の側面を規定する部材である。側板４００は、図１に示すように、パレット１００の短手方向の周縁に沿って対向して立設される２枚の第１の側板４１０と、第１の側板４１０の対向する両側辺を連結するようにパレット１００の長手方向の周縁に沿って対向して立設される２枚の第２の側板４２０とを有する。
【００３８】
第１の側板４１０及び第２の側板４２０は、各々、２本のコーナーパイプ２００の対向面に形成されている側板設置溝２１０に両側縁がスライド挿入され、コーナーパイプ２００間に立設される。そして、２枚の第１の側板４１０及び２枚の第２の側板４２０が各々、４本のコーナーパイプ２００の間に順次挿入設置されることにより、パレット１００上に一対のロール受け部３００を介して保持収容されたシリンダロールの周囲を閉塞する。
【００３９】
第１の側板４１０及び第２の側板４２０は、各々、面部材の周囲に、側部及び上下の金属製枠部材が装着された構成である。面部材は、例えばプラスチック段ボール板、合成樹脂板（発泡合成樹脂板を含む）、薄い金属板、合板あるいは繊維板等が用いられる。また枠部材は、例えば鋼材等で構成される。
【００４０】
上蓋５００は、パレット１００上に立設された側板４００（第１の側板４１０及び第２の側板４２０）により形成されるシリンダロール用コンテナ１の内部収容空間の上部開口を閉塞する部材である。上蓋５００も、第１の側板４１０及び第２の側板４２０と同様に、プラスチック段ボール板、合成樹脂板（発泡合成樹脂板を含む）、薄い金属板、合板あるいは繊維板等で形成される面部材の周囲に、鋼材等の金属で構成される枠部材が装着された構成である。
【００４１】
上蓋５００の上面には、シリンダロール用コンテナ１を順次段積み可能なように、ズレ防止金具５１０が形成されている。ズレ防止金具５１０は、パレット１００の四隅の係合部（下角部）１０２が載置される平面部とその外側に形成される上部方向に突出した縁部とを有する。ズレ防止金具５１０は、このような外側の縁部分が突出した構造により、結果的に平面部が凹部をなす構成となり、パレット１００の下面四隅の係合部（下角部）１０２の外側周囲を係止する。
【００４２】
なお、ズレ防止金具５１０の代わりに単にゴム板等の滑り止めを上蓋５００上に貼着してもよい。その場合は、パレット１００を単に下段のシリンダロール用コンテナ１の上蓋５００の上に載置することにより複数のシリンダロール用コンテナ１を段積みできる構成となる。段積み時の横ずれ防止手段としては、シリンダロール用コンテナ１の搬送環境、搬送条件等に応じて適宜適当なものを設置すればよい。
【００４３】
上蓋５００の縁部のうち、長手方向の第２の側板４２０の上縁に対応する縁部には、両側各々２箇所に、上蓋５００をシリンダロール用コンテナ１の上部に保持するための上蓋固定用ゴムバンド５２０が装着されている。上蓋固定用ゴムバンド５２０は、第２の側板４２０の外面の両側２箇所に設置されたゴムバンド受け５２１に係合される。これにより、上蓋５００は、シリンダロール用コンテナ１の上部から容易に離脱不能な状態に保持される。
【００４４】
シリンダロール用コンテナ１は、このような構成を有する。
このような構成のシリンダー用コンテナ１にシリンダーロール７００を収容する場合には、まず、上蓋５００を取り外し、さらに４枚の側板４００のうちシリンダーロール７００の収容作業に必要な必要な側板を適宜取り外し、シリンダー用コンテナ１の収容空間を開放状態とする。
【００４５】
次に、ロール受け部３００のロールストッパー３６０を上に引き上げてロール受け台座３１０から取り外す。その結果、ロール受け部３００の支管嵌入空間３５０は、横方向の一方の側が開放された状態となる。
この状態で、シリンダーロール７００の支管７１０を、支管嵌入空間３５０の中に、横方向のその開放された側から、例えばロール受け台座３１０の上面を転がす等して入れ込む。
【００４６】
シリンダー用コンテナ１の長手方向両側において、シリンダーロール７００の支管７１０をロール受け部３００の支管嵌入空間３５０に入れたら、ロールストッパー３６０をロール受け台座３１０を差し込む。すなわち、ロールストッパー３６０の第１のストッパーピン３６３がロール受け台座３１０の基台部３２０の第１のストッパーピン差し込み穴３２３に挿入され、ロールストッパー３６０の第２のストッパーピン３６４がロール受け台座３１０のＬ字形ストッパー３４０の第２のストッパーピン差し込み穴３４４に挿入されるように、ロールストッパー３６０をロール受け台座３１０に対して落とし込み、ロール受け台座３１０に装着する。
【００４７】
対向配置された一対のロール受け部３００の各々でこのようにロールストッパー３６０を設置することにより、図４（Ａ）及び図４（Ｂ）に示すように、シリンダーロール７００の両端の支管７１０は各々ロール受け部３００に移動不能に設置され、シリンダーロール７００はパレット１００の上部収容空間に収容設置されたこととなる。
【００４８】
シリンダーロール７００をこのようにパレット１００上に収容したら、取り外した側板４００を対向するコーナーパイプ２００の側板設置溝２１０間に差し込みパレット１００上に立設させる。
そして、上蓋５００により４枚の側板４００の上部空間を閉塞し、上蓋５００の上蓋固定用ゴムバンド５２０を側板４００（第２の側板４２０）のゴムバンド受け５２１に係止させることにより、上蓋５００は側板４００上に固定される。また、必要に応じてパレット１００のベルト掛け１０３にベルトが掛けられることにより、側板４００及び上蓋５００がパレット１００と一体化される。そして、このようにシリンダーロール７００を収容したシリンダー用コンテナ１は、移動等される。
【００４９】
なお、移動等されたシリンダー用コンテナ１からシリンダーロール７００を取り出す作業は、上述したシリンダーロール７００を収容する作業の反対の作業を行えばよいだけなので、その説明は省略する。
【００５０】
このように、本考案のシリンダー用コンテナ１によれば、シリンダーロールを安全に搬送等することができる。そして、シリンダーロールの支管のロール受け部への設置方法は、シリンダーロールの支管を、ロール受け台座３１０の基台部３２０の上面３２１（図２参照）を転がす等して、支管嵌入空間３５０に対して横方向から嵌入する方法である。従って、従来にない方法によりシリンダーロールをシリンダー用コンテナに収容することができ、そのようにシリンダーロールを取り扱う装置等に好適に対応することができる。
【００５１】
また、ロールストッパー３６０をロール受け台座３１０に対して差し込み装着するのみで完了する。
従って、極めて容易にシリンダーロールの支管を保持することができ、換言すれば、極めて容易な作業でシリンダーロールの収容をすることができ、また、極めて容易な作業でこれを移動不能に保持することができる。
【００５２】
なお、本考案は、上述した実施形態に限定されるものではなく、本考案の範囲内で種々に改変することができる。
【００５３】
たとえば、前述したシリンダー用コンテナ１においては、ロールストッパー３６０は、ストッパーピン３６３、３６４をロール受け台座３１０のストッパーピン差し込み穴３２３，３４４に挿入させて落とし込むのみでロール受け台座３１０に装着したものとしたが、ロールストッパー３６０がロール受け台座３１０から離脱しないように、さらにほかの部材を設置するような形態でもよい。例えば、Ｌ字形ストッパー３４０の上面に、例えば板バネ等の、落とし込んだロールストッパー３６０が上方向に浮上しないように係止する部材を設けてもよい。
【００５４】
また、前述したシリンダー用コンテナ１においては、１つのシリンダーロールを収容する例としたが、対向配置される一対のロール受け部３００をパレット１００上に複数設置するようにし、複数のシリンダーロールを収容可能な形態としてもよい。
【符号の説明】
【００５５】
１…シリンダロール用コンテナ
１００…パレット
１０１…リフト用孔
１０２…係合部（下角部）
１０３…ベルト掛け
２００…コーナーパイプ
２１０…側板設置溝
３００…ロール受け部
３１０…ロール受け台座
３２０…基台部
３２１…上面
３２２…一方の側面
３２３…第１のストッパーピン差し込み穴
３３０…パレット固定用金具
３３１…ボルト貫通孔
３４０…Ｌ字形ストッパー
３４１…垂直部材
３４２…水平部材
３４４…第２のストッパーピン差し込み穴
３４５…垂直部材の一方の面
３４６…水平部材の下方側の面
３５０…支管嵌入空間
３６０…ロールストッパー
３６１…垂直部材
３６２…水平部材
３６３…第１のストッパーピン
３６４…第２のストッパーピン
３６５…支管嵌入空間側端部
４００…側板
４１０…第１の側板
４２０…第２の側板
５００…上蓋
５１０…ズレ防止金具
５２０…上蓋固定用ゴムバンド
５２１…ゴムバンド受け
【図１】
0003191310.tif 000003
【図２】
0003191310.tif 000004
【図３】
0003191310.tif 000005
【図４】
0003191310.tif 000006
【手続補正書】
【提出日】平成26年4月10日(2014.4.10)
【手続補正１】
【補正対象書類名】実用新案登録請求の範囲
【補正対象項目名】全文
【補正方法】変更
【補正の内容】
【実用新案登録請求の範囲】
【請求項１】
パレットと、
前記パレットの周縁に沿って立設され、前記パレット上に内部収容空間を形成する側板と、
前記内部収容空間の上部開口を閉塞する上蓋と
前記パレット上に対向設置され、各々、収容対象のシリンダロールの支管の端部を保持する一対のロール受け部とを有し、
前記ロール受け部の各々は、
前記支管が嵌入される支管嵌入空間であって、前記支管の径方向の上下方向及び横方向の一方が閉塞され、当該横方向の他方のみが開放された前記支管嵌入空間を有するロール受け台座と、
前記支管嵌入空間の前記開放された横方向の他方を閉塞するように前記ロール受け台座に着脱自在に装着されるロールストッパーとを有し、
前記ロールストッパーは、複数のストッパーピンをさらに有し、
前記ロール受け台座は、前記ロールストッパーの前記複数のストッパーピンが挿入される複数のストッパーピン差し込み穴をさらに有し、
前記ロールストッパーは、前記複数のストッパーピンが対応する前記ストッパーピン差し込み穴に挿入されることにより、前記ロール受け台座に装着される
ことを特徴とするシリンダロール用コンテナ。
【請求項２】
前記ロール受け台座は、
前記支管が載置されるとともに前記支管嵌入空間の下方向を閉塞する上面を有する基台部と、
前記基台部の前記上面に略垂直に立設され前記支管嵌入空間の横方向の一方を閉塞する垂直部材、及び、前記垂直部材に連結され前記支管嵌入空間の上方向を閉塞する水平部材を有するＬ字形ストッパーと
を有することを特徴とする請求項１に記載のシリンダーロール用コンテナ。
【請求項３】
前記ロール受け台座は、前記基台部の前記上面に形成された第１のストッパーピン差し込み穴と、前記Ｌ字形ストッパーの水平部材に形成された第２のストッパーピン差し込み穴とを有し、
前記ロールストッパーは、前記第１のストッパーピン差し込み穴に差し込まれる第１のストッパーピンと、前記第２のストッパーピン差し込み穴に差し込まれる第２のストッパーピンとを有することを特徴とする請求項２に記載のシリンダーロール用コンテナ。